(57)【要約】【課題】屋根板の開閉時において、ユーザに指を挟むような恐怖感が付与されることを効果的に排除し、屋根板の開閉作業をスムースに行えるようにすること。【解決手段】本体１１に開閉可能に支持された後屋根板１３と、この後屋根板１３の前端部１３Ａに突き合う後端部１４Ａを有する前屋根板１４とを備えてグランドピアノ１０が構成されている。各端部１３Ａ，１４Ａの離間幅若しくは隙間Ｓは、スライダ２０により拡大可能とされている。前屋根板１４は、隙間Ｓを拡大する方向に移動可能に設けられ、隙間Ｓを拡大した位置に前屋根板１４が存在するときに後屋根板１３が開閉可能となっている。【選択図】　　　図２
2004029767.tif 000002
【特許請求の範囲】
【請求項１】
楽器本体と、この楽器本体に開閉可能に支持された回動部材とを有し、
前記回動部材は、当該回動部材を閉じたときに、前記楽器本体に設けられた部材に突き合う端部を備え、
前記楽器本体に設けられた部材と回動部材の端部との離間幅若しくは隙間を拡大する拡大手段が設けられていることを特徴とする楽器。
【請求項２】
鍵盤楽器の本体に開閉可能に軸支持された第１の屋根板と、この第１の屋根板の端部に突き合う端部を有する第２の屋根板とを備え、
前記各端部の離間幅若しくは隙間を拡大する拡大手段が設けられていることを特徴とする鍵盤楽器の屋根構造。
【請求項３】
鍵盤楽器の本体に開閉可能に軸支持された第１の屋根板と、この第１の屋根板の端部に突き合う端部を有する第２の屋根板とを備え、
前記第１の屋根板及び／又は第２の屋根板は、前記端部間隙間を拡大する方向に移動可能に設けられ、前記隙間を拡大した位置に第２の屋根板が存在するときに第１の屋根板の初期開放動作及び終期閉塞動作を可能とすることを特徴とする鍵盤楽器の屋根構造。
【請求項４】
鍵盤楽器の本体に開閉可能に軸支持された第１の屋根板と、この第１の屋根板の端部に突き合う端部を有する第２の屋根板とを備え、
前記本体には、所定の起立位置で第１の屋根板の開放姿勢を保持可能な突上棒が設けられ、
前記第２の屋根板は、前記端部間隙間を拡大する方向に移動可能に設けられるとともに、前記隙間を拡大した状態で第１の屋根板の初期開放動作及び終期閉塞動作を可能とする一方、第２の屋根板を元の位置に復帰させることで突上棒の前記起立位置を保持可能とすることを特徴とする鍵盤楽器の屋根構造。
【請求項５】
鍵盤楽器の本体に開閉可能に軸支持された第１の屋根板と、この第１の屋根板の端部に突き合う端部を有する第２の屋根板とを備え、
前記第２の屋根板は、前記端部間隙間を拡大する方向に移動可能に設けられ、前記隙間を拡大した状態で第１の屋根板の初期開放動作を可能とする一方、第１の屋根板の閉塞移動に伴って前記端部間隙間を拡大可能とすることを特徴とする鍵盤楽器の屋根構造。
【請求項６】
鍵盤楽器の本体に開閉可能に軸支持された第１の屋根板と、この第１の屋根板の端部に突き合う端部を有する第２の屋根板とを備え、
前記各端部間に緩衝部材が設けられ、この緩衝部材は前記端部間隙間を拡大するように変形可能に設けられていることを特徴とする鍵盤楽器の屋根構造。
【請求項７】
鍵盤楽器の本体に開閉可能に軸支持された第１の屋根板と、この第１の屋根板の端部に突き合う端部を有する第２の屋根板とを備え、
前記第１及び／又は第２の屋根板は、前記端部間隙間を拡大する方向に変位する領域を含んで構成されていることを特徴とする鍵盤楽器の屋根構造。
【請求項８】
鍵盤楽器の本体に開閉可能に軸支持された第１の屋根板の開閉時における指挟み防止方法であって、
前記第１の屋根板の端部に突き合う端部を有する第２の屋根板が設けられ、
前記第２の屋根板を変位若しくは変形させた後、第１の屋根板の前記端部を手に持って当該第１の屋根板を初期開放動作及び終期閉塞動作させることを特徴とする屋根板回りの指挟み防止方法。
【発明の詳細な説明】
【０００１】
【発明の属する技術分野】
本発明は、楽器、特に鍵盤楽器のグランドピアノの屋根構造及び屋根板回りの指挟み防止方法に係り、更に詳しくは、グランドピアノの第１及び第２の屋根板の端部間に無理なく指先を挿入することができるグランドピアノの屋根構造及び屋根板回りの指挟み防止方法に関する。
【０００２】
【従来の技術】
従来より、ピアノ本体の上部側に屋根板を有するグランドピアノが広く利用されるに至っている。公知のグランドピアノの屋根板としては、ピアノ本体の一端側に開閉可能に軸支持された後屋根板と、この後屋根板の手前側端部にヒンジを介して連結された前屋根板とを備えた折り畳みタイプのものがある。この屋根板を開放する作業は、ヒンジ位置で前屋根板を後屋根板上に乗せるように折り畳んだ後、前屋根板と共に後屋根板の自由端側を持ち上げることにより行われる。
【０００３】
他のタイプの屋根板としては、前述したヒンジを用いることなく、すなわち、後屋根板と前屋根板とを相互に連結することなく、各屋根板を独立して開閉可能としたタイプのものが知られている（特許文献１参照）。これによれば、前屋根板を閉塞した状態で後屋根板のみ開閉可能となるため、前記折り畳みタイプの屋根板と比較して、前屋根板の重量分軽くなり、開閉時の負担軽減が図られることとなる。
【０００４】
【特許文献１】
特開２００１−８３９６０号公報
【０００５】
【発明が解決しようとする課題】
しかしながら、後屋根板と前屋根板とが独立して開閉するタイプの屋根板にあっては、各屋根板の閉塞状態でピアノ本体内に埃等が入ることを防止するため、後屋根板と前屋根板との間の隙間が極めて小さくなる構成が基本となる。従って、後屋根板の開閉動作時に、後屋根板の手前側（前屋根板側）端部を指先で持った場合、各屋根板の間に指先を挟むような恐怖感を付与してしまうという不都合を生じる。また、後屋根板を閉塞する直前状態で、後屋根板の端部側を持った場合には、指先が挟まることを回避するため、後屋根板の自由端に持ち直す必要があり、後屋根板の開閉作業が極めて煩雑且つ困難になるという不都合も招来する。
【０００６】
【発明の目的】
本発明は、このような不都合に着目して案出されたものであり、その目的は、屋根板の開閉時において、ユーザに指を挟むような恐怖感が付与されることを効果的に排除することができ、且つ、屋根板の開閉作業をスムースに行うことができる鍵盤楽器の屋根構造及び屋根板回りの指挟み防止方法を提供することにある。
【０００７】
【課題を解決するための手段】
前記目的を達成するため、本発明は、楽器本体と、この楽器本体に開閉可能に支持された回動部材とを有し、
前記回動部材は、当該回動部材を閉じたときに、前記楽器本体に設けられた部材に突き合う端部を備え、
前記楽器本体に設けられた部材と回動部材の端部との離間幅若しくは隙間を拡大する拡大手段が設けられている、という構成を採っている。このような構成によれば、回動部材の閉塞時に、当該回動部材の端部と楽器本体との間に指先を難なく挿入することが可能となる。
【０００８】
また、本発明は、鍵盤楽器の本体に開閉可能に軸支持された第１の屋根板と、この第１の屋根板の端部に突き合う端部を有する第２の屋根板とを備え、
前記各端部の離間幅若しくは隙間を拡大する拡大手段が設けられる、という構成を採っている。このような構成によれば、第１の屋根板を開閉するときに、各端部間に指先を挿入するためのスペースを十分に確保することができ、これにより、ユーザに対し、各屋根板間に指先を挟むような恐怖感が付与されることを回避可能となる。しかも、前記開閉時に第１の屋根板の前記端部を持つことができるので、従来の屋根板のように持ち直す作業が不要となり、第１の屋根板の開閉作業を容易且つスムースに行うことが可能となる。
【０００９】
また、本発明は、鍵盤楽器の本体に開閉可能に軸支持された第１の屋根板の開閉時における指挟み防止方法であって、
前記第１の屋根板の端部に突き合う端部を有する第２の屋根板が設けられ、
前記第２の屋根板を変位若しくは変形させた後、第１の屋根板の前記端部を手に持って当該第１の屋根板を初期開放動作及び終期閉塞動作させる、という手法を採っている。このような手法を採用すれば、第１の屋根板の開閉時において、各端部間に指先を挟むことによる怪我等を効果的に防止することが可能となる。
【００１０】
【発明の実施の形態】
具体的には、本発明は、鍵盤楽器の本体に開閉可能に軸支持された第１の屋根板と、この第１の屋根板の端部に突き合う端部を有する第２の屋根板とを備え、前記第１の屋根板及び／又は第２の屋根板は、前記端部間隙間を拡大する方向に移動可能に設けられ、前記隙間を拡大した位置に第２の屋根板が存在するときに第１の屋根板の初期開放動作及び終期閉塞動作を可能とする、すなわち、前記隙間を拡大しない場合には、第１の屋根板の開閉移動が規制される、という構成を採っている。このような構成によれば、端部間隙間が拡大されたときだけ第１の屋根板の初期開放動作及び終期閉塞動作を行うことが可能となり、各屋根板間に指先を挟む虞を確実に排除することができる。しかも、常時は、前記隙間を小さくした状態が保たれるので、本体内に入る埃等を極力少なくすることができる。
【００１１】
また、本発明は、鍵盤楽器の本体に開閉可能に軸支持された第１の屋根板と、この第１の屋根板の端部に突き合う端部を有する第２の屋根板とを備え、
前記本体には、所定の起立位置で第１の屋根板の開放姿勢を保持可能な突上棒が設けられ、
前記第２の屋根板は、前記端部間隙間を拡大する方向に移動可能に設けられるとともに、前記隙間を拡大した状態で第１の屋根板の初期開放動作及び終期閉塞動作を可能とする一方、第２の屋根板を元の位置に復帰させることで突上棒の前記起立位置を保持可能とする、という構成も採用することができる。このような構成では、前述した目的を達成できる他、第２の屋根板の移動を利用することによって、突上棒の起立位置を保持することができ、これにより、屋根板の開放姿勢が安定的に保たれるという優れた効果を得る。
【００１２】
更に、本発明は、鍵盤楽器の本体に開閉可能に軸支持された第１の屋根板と、この第１の屋根板の端部に突き合う端部を有する第２の屋根板とを備え、
前記第２の屋根板は、前記端部間隙間を拡大する方向に移動可能に設けられ、前記隙間を拡大した状態で第１の屋根板の初期開放動作を可能とする一方、第１の屋根板の閉塞移動に伴って前記端部間隙間を拡大可能とする、という構成を採っている。このような構成によれば、仮に、各端部隙間が狭い状態で第１の屋根板を閉塞しても、当該隙間を自動的に拡大することができる。
【００１３】
また、本発明は、鍵盤楽器の本体に開閉可能に軸支持された第１の屋根板と、この第１の屋根板の端部に突き合う端部を有する第２の屋根板とを備え、
前記各端部間に緩衝部材が設けられ、この緩衝部材は前記端部間隙間を拡大するように変形可能に設けられる、という構成も採ることができる。かかる構成によれば、緩衝部材を適宜縮めることで、前記端部間に指先を無理なく挿入することができる。
【００１４】
更に、本発明は、鍵盤楽器の本体に開閉可能に軸支持された第１の屋根板と、この第１の屋根板の端部に突き合う端部を有する第２の屋根板とを備え、
前記第１及び／又は第２の屋根板は、前記端部間隙間を拡大する方向に変位する領域を含んで構成される、という構成を採ることもでき、これによっても、前述と同様の効果を得ることができる。
【００１５】
なお、本明細書において、「前」は、特に明記しない限り、本体の鍵盤側すなわち図２中右側について用いられ、「後」は、その反対側について用いられる。また、「左右」とは、本体の鍵盤側を手前側にして見た場合を基準として用いられる。また、本明細書において、「グランドピアノ」とは、屋根板が開閉されるピアノについて総称するものであって、同様の外形を備えた電子ピアノも含む概念として用いる。更に、本明細書において、「突き合う」とは、部材の端部同士や部材と端部とが接触する場合の他、端部同士や部材と端部との間に若干の隙間が存在する状態も含む。
【００１６】
【実施例】
以下、本発明の実施例を図面を参照しながら説明する。
【００１７】
［第１実施例］
図１には、第１の実施例に係るグランドピアノの全体構成図が示されている。この図において、グランドピアノ１０は、上部側を開放する形状に設けられるとともに、内部に所定のアクション機構等を有する本体１１と、この本体１１の上部一端側に沿う二箇所位置に設けられるとともに、回転軸１２Ａを含んで構成されるヒンジ１２，１２と、これらヒンジ１２，１２を介して本体１１に軸支持されているとともに、本体１１の開放側（上部側）を開閉可能に設けられた第１の屋根板としての後屋根板１３と、この後屋根板１３の手前側に隣接する位置に設けられた第２の屋根板としての前屋根板１４と、後屋根板１３と前屋根板１４との間に設けられた開放規制部１６（図２参照）と、本体１１の他端側すなわちヒンジ１２の取付位置の反対側であって、本体１１の内周面側に回動可能に支持されて後屋根板１４を所定の開放位置に保つ突上棒１７と、この突上棒１７の先端部を受容する受け皿１８とを備えて構成されている。
【００１８】
前記本体１１は、鍵盤１１Ａの上方に位置する前板１１Ｂと、この前板１１Ｂの左右両側に位置するとともに、後方に向かって延びる右側板１１Ｃ及び左側板１１Ｄと、これら右側板１１Ｃ及び左側板１１Ｄの後端間に連なるとともに、後方に膨らむ湾曲形状を備えた後板１１Ｅとを備えて構成されている。
【００１９】
図２に示されるように、前記後屋根板１３及び前屋根板１４は、これらを閉塞した状態すなわち略水平となる状態で隙間Ｓを介して配置されている。すなわち、前記後屋根板１３の前端部１３Ａと前屋根板１４の後端部１４Ａとが相互に突き合う位置に設けられている。前端部１３Ａと後端部１４Ａとの離間幅すなわち隙間Ｓの幅は、常時は、後屋根板１３の開閉時に各端部１３Ａ，１４Ａが接触せず、また、本体１１内に埃等が入りにくいよう小さく設定されている。
【００２０】
前屋根板１４は、図５に示されるように、後端部１４Ａのヒンジ部１２寄りの位置に設けられて後方（図５中左方）に突出する突起部１４Ｂを備えている。この突起部１４Ｂは、上面が傾斜面とされた側面視三角形状をなし、前端部１３Ａと後端部１４Ａを相互に突き合わせたときに、後屋根板１３の前端部１３Ａに形成された孔１３Ｂ内に受容される。
【００２１】
前記前屋根板１４は、左右両側（図２中紙面直交方向両側）に設けられた拡大手段としての一対のスライダ２０，２０を介して本体１１上に設置されている。これらスライダ２０，２０は、図３にも示されるように、右側板１１Ｃ及び左側板１１Ｄの各上端面上に設けられるとともに、前後方向（図２中右左方向）に沿って延びる下レール２１と、前屋根板１４の下面側に取り付けられるとともに、下レール２１を左右両側から受容する断面視下向きコ字状をなす上レール２２とを備えている。これにより、前屋根板１４の前後方向の移動、すなわち、隙間Ｓを拡大及び縮小する方向の移動が許容されるとともに、左右方向の移動が規制されることとなる。なお、下レール２１と上レール２２との接触面は、これらの間の摩擦抵抗を極力少なくする適宜な処理等が施され、前述した前後移動をスムースに行えるようになっている。
【００２２】
前記各スライダ２０，２０の近傍位置には、前屋根板１４の後方への移動を規制可能なストッパ２４，２４が設けられている。各ストッパ２４は、図２に示されるように、右側板１１Ｃ及び左側板１１Ｄの内周面にねじ止め固定されるとともに、左右方向（図２中紙面直交方向）に延びる鉛直面２５Ａを備えたアングル部材２５と、前屋根板１４の下面側に取り付けられるとともに、図２に示される位置で鉛直面２５Ａに当接するブロック部材２６とを備えている。従って、前屋根板１４は、図２に示される位置より隙間Ｓを狭める方向（同図中左方向）への移動が規制され、これにより、前端部１３Ａと後端部１４Ａとの衝突が防止される。
【００２３】
前記開放規制部１６は、閉塞した後屋根板１３の開放移動を規制可能に設けられている。この開放規制部１６は、前屋根板１４の下面における後端部１４Ａ側に取り付けられたブロック状の支持部材２８と、この支持部材２８に支持されるとともに、後屋根板１３の下側に位置するように後方に延びる軸部２９と、後屋根板１３の下面における前端部１３Ａ側に設けられるとともに、軸部２９の先端（図２中左端）側を受容可能な略半円弧型のリング状をなす受容部３０とを備えている。軸部２９の長さ及び受容部３０の取付位置は、アングル部材２５とブロック２６とを当接させたときに、軸部２９が受容部３０内に位置する相対関係に設定されている。
【００２４】
前記各突上棒１７は、ブラケット３１を介して本体１１の内周面側に支持されるとともに、後屋根板１３の開放姿勢を保持する起立位置と、本体１１内に収容される倒伏位置との間で回動可能に設けられている。この突上棒１７は、隣接する位置に設けられた軸方向長さの異なる二本の突上棒、すなわち、長寸突上棒１７Ａと短寸突上棒１７Ｂとにより構成されている。各突上棒１７Ａ，１７Ｂは、これらの回動中心軸方向すなわち前後方向に沿って延びる貫通穴１７Ｃ，１７Ｄをそれぞれ備えている。貫通穴１７Ｃ，１７Ｄは、軸部２９の外径と略同一寸法となる内径を備えている。また、貫通穴１７Ｃ，１７Ｄは、図４に示されるように、各突上棒１７Ａ，１７Ｂを後屋根板１３の開放姿勢を保持する起立位置としたときに、軸部２９を挿通可能な位置にそれぞれ設けられている。
【００２５】
前記短寸突上棒１７Ｂは、長寸突上棒１７Ａを起立方向に回動したときに付随して回動するが、短寸突上棒１７Ｂを直接持って起立方向に回動したときには長寸突上棒１７Ａとは、独立して単独で起立可能となっている。
【００２６】
前記ブラケット３１は、図２ないし図４に示されるように、右側板１１Ｃの内周面にねじ止め固定されるとともに、上下方向に延びる板状の取付面部３３と、この取付面部３３の短寸方向（前後方向）両側に連なって略鉛直面内に位置するとともに、略半円弧状の先端形状を備えた一対の支持面部３４，３４とを備えて構成されている。各支持面部３４，３４間には、各突上棒１７Ａ，１７Ｂの基部側を貫通する回転軸３５が掛け渡され、当該回転軸３５を介して各突上棒１７Ａ，１７Ｂがブラケット３１に回動可能に支持される。
【００２７】
前記受け皿１８は、後屋根板１３の前端部１３Ａ側コーナー領域における裏面側に設けられている。この受け皿１８は、前端部１３Ａに沿って取り付けられた二枚の受け皿１８Ａ，１８Ｂにより構成されている。受け皿１８Ａは、前記起立位置としたときの長寸突上棒１７Ａを受容する（図１参照）一方、受け皿１８Ｂは、短寸突上棒１７Ｂを受容可能に設けられている。
【００２８】
以上の構成において、後屋根板１３を閉塞した状態から図１に示される開放姿勢に保つ場合、先ず、図５に示されるように、前記隙間Ｓを拡大するように前屋根板１４を前方に移動する。これにより、軸部２９が受容部３０から抜け出て、後屋根板１３の開放する方向への移動すなわち初期開放移動が許容されるとともに、隙間Ｓ内に指先を入れて後屋根板１３の前端部１３Ａ側を掴むことが可能となる。次に、後屋根板１３を大きく開放した後、長寸突上棒１７Ａを倒伏位置から起立する方向に回動する。そして、長寸突上棒１７Ａの先端側を対応する受け皿１８Ａ内に受容させることにより、後屋根板１３の開放姿勢が保持される。
【００２９】
この状態で、図４及び図６に示されるように、前屋根板１４を元の位置、すなわち、後方に移動することにより、軸部２９が貫通穴１７Ｃ，１７Ｄ内に挿通される。これにより、図１に示されるように、各突上棒１７Ａ、１７Ｂの回動が規制され、これらの起立位置が揃った状態で保たれることとなる。
【００３０】
この一方、後屋根板１３を閉塞する場合、前屋根板１４を前方に移動して貫通穴１７Ｃ，１７Ｄから軸部２９を抜き出した後、後屋根板１３を若干開放して受け皿１８Ａから長寸突上棒１７Ａの先端を外す。そして、長寸突上棒１７Ａを倒伏した後、後屋根板１３を本体１１上に乗せるように閉じる。この際、隙間Ｓは、図５に示されるような拡大した状態となるので、後屋根板１３の前端部１３Ａ側を手で持ちながら当該後屋根板１３の終期閉塞動作を行うことができる。
【００３１】
ここで、前屋根板１４を前方に移動して長寸突上棒１７Ａを倒伏した後、意図することなく前屋根板１４が後方（隙間Ｓを縮小する方向）に移動した場合、後屋根板１３を閉塞するときに、後屋根板１３の下側角部１３Ｃ（図５参照）が突起部１４Ｂの傾斜面に当たり、当該傾斜面上を下側角部１３Ｃが滑るようにして後屋根板１３の閉塞移動を許容しつつ前屋根板１４を前方に移動させる。この結果、後屋根板１３の終期閉塞動作を行うときに、前記隙間Ｓが拡大した状態となり、各端部１３Ａ，１４Ａにより指が挟まれることを防止できる。
【００３２】
従って、このような第１の実施例によれば、開放規制部１６によって後屋根板１３の開放規制と突上棒１７の起立位置保持との両方を行えるようにしたから、後屋根板１３の開放時だけでなく閉塞時にあっても、必然的に隙間Ｓが拡大されることとなる。これにより、前端部１３Ａを指先で掴んで開閉した場合であっても、各端部１３Ａ，１４Ａにより指先を挟むことを確実に回避することができる。また、突上棒１７の起立位置が保持されるため、不用意な衝撃等により、突上棒１７が倒伏して後屋根板１３が閉じることを防止することができる。
【００３３】
次に、本発明の前記以外の実施例について説明する。なお、以下の説明において、前記第１の実施例と同一若しくは同等の構成部分については必要に応じて同一符号を用いるものとし、説明を省略若しくは簡略にする。
【００３４】
［第２実施例］
図７ないし図１０には、本発明の第２の実施例が示されている。この実施例は、開放規制部３７を後屋根板１３及び前屋根板１４の上面側に設けたものである。すなわち、第２の実施例における開放規制部３７は、各屋根板１３，１４の上面に沿う板状部材３８により構成されている。この板状部材３８は、その前部領域が前屋根板１４に固定されて隙間Ｓ上に位置するとともに、後部領域が後屋根板１３の上面上に乗るように設けられている。板状部材３８の左右位置は、図９及び図１０に示されるように、突上棒１７を前述した起立位置としたときに、当該突上棒１７の基部側に板状部材３８の図９中右端部が接触する位置に設定されている。なお、少なくとも一枚の板状部材３８を前述した位置に設ける限りにおいて、板状部材３８を後端部１４Ａの両側に設けたり、当該後端部１４Ａに沿って所定間隔毎に複数枚設けたりしてもよい。
【００３５】
図８に示されるように、板状部材３８のヒンジ１２側（図８中下側）は、傾斜縁３８Ａとされ、この傾斜縁３８Ａは、後方（同図中左方）に向かうに従ってヒンジ１２から離れる方向に向けられている。なお、傾斜縁３８Ａは、図８（Ａ）に示されるような略直線状とする他、同図（Ｂ）に示されるような湾曲形状としともよい。また、板状部材３８を複数枚設けた場合、少なくとも最もヒンジ１２寄りの板状部材３８が前記傾斜縁３８Ａを備えていればよい。
【００３６】
以上の構成において、後屋根板１３は、図７及び図９に示される位置において、板状部材３８に上方から押さえ込まれるようになって開放移動が規制される。この状態から、前屋根板１４を前方に移動することにより、板状部材３８と後屋根板１３の上面とが離間し、後屋根板１３の初期開放動作が許容される。そして、後屋根板１３を開放し、長寸突上棒１７Ａにより後屋根板１３の開放姿勢を保持させた後、図１０に示されるように、前屋根板１４を元の位置に復帰させることで、板状部材３９により各突上棒１７Ａ，１７Ｂの回動が規制される。
【００３７】
また、後屋根板１３を閉塞する作業は、前屋根板１４を前方に移動して各突上棒１７Ａ，１７Ｂの回動規制を解除し、突上棒１７Ａ，１７Ｂを倒伏した後、後屋根板１３を本体１１上に乗せることにより行われる。ここで、後屋根板１３の閉塞移動時に、前屋根板１４が不用意に後方（隙間Ｓを縮小する方向）に移動した場合、後屋根板１３の下側角部１３Ｃ（図７参照）が板状部材３８の傾斜縁３８Ａに沿って滑りながら前屋根板１４を前方に押し出し、前記隙間Ｓを拡大して各端部１３Ａ，１４Ａにより指が挟まれることを防止できるようになっている。
【００３８】
従って、このような実施例によっても、前記第１の実施例と同様の作用、効果を得ることができるが、第２の実施例によれば、板状部材３８が各屋根板１３，１４の上面側に位置するので、開放規制部３７が見易くなり、後屋根板１３を開放できるか否かを容易に認識することが可能となる。
【００３９】
［第３実施例］
図１１には、本発明の第３の実施例が示されている。この実施例は、開放規制部４０を後屋根板１３及び前屋根板１４の下面に沿う板状部材４１により構成したものである。この板状部材４１は、その後部領域が後屋根板１３の下面側にねじ止め固定されている一方、前部領域が前屋根板１４の下面に接触するように設けられている。これにより、図１１に示される位置で、板状部材４１上に前屋根板１４が乗るようになって後屋根板１３の開放移動が規制される一方、隙間Ｓを拡大するように前屋根板１４を前方に移動することで、後屋根板１３の開放移動が許容される。なお、板状部材４１の左右方向（図１１中紙面直交方向）に沿う取り付け位置は、前部領域が前屋根板１４の下面に接触する限りにおいて、後屋根板１３の左右方向における少なくとも一箇所に固定されていればよく、例えば、後屋根板１３の自由端側及びヒンジ１２側の両方、若しくは、これらの何れか一方に設けたり、前記左右方向に沿って所定間隔毎に複数枚設けたりすることが例示できる。
【００４０】
前屋根板１４の後端部１４Ａは、その上部コーナー部分に傾斜面部４２を備えている。従って、後屋根板１３を閉塞するときに、前屋根板１４が後方に位置し、板状部材４１が傾斜面部４２に接触する場合であっても、板状部材４１が傾斜面部４２上を滑るようにして前屋根板１４が前方に移動することとなる。この結果、後屋根板１３の前端部１３Ａと前屋根板１４の後端部１４Ａとの間の隙間Ｓが拡大することとなり、各端部１３Ａ，１４Ａにより指が挟まれることを防止することができる。なお、傾斜部４２は、前屋根板１４の左右方向全領域に亘って形成してもよいし、板状部材４１が設けられた位置のみに部分的に設けてもよい。
【００４１】
以上の構成においても、実質的に、第１の実施例と同様にして後屋根板１３を開放姿勢に保つことができる。この際、後屋根板１３の初期開放移動を行う前に、板状部材４１が前屋根板１４の後端部１４Ａ側と離間する位置、すなわち、後屋根板１３の開放動作によって板状部材４１が前屋根板１４に干渉しない位置まで当該前屋根板１４を前方へ移動させる。
【００４２】
従って、このような第３の実施例によっても、前述と同様に、後屋根板１３の開閉時に、隙間Ｓを拡大した状態を維持することが可能となる。
【００４３】
［第４実施例］
図１２には、本発明の第４の実施例が示されている。この実施例は、隙間Ｓの拡大手段を緩衝部材４４により構成し、この緩衝部材４４を後屋根板１３の前端部１３Ａと前屋根板の後端部１４Ａとの間に設けたものである。この緩衝部材４４は、クッション性を備えた発泡樹脂等により構成されている。また、緩衝部材４４は、前端部１３Ａとの間に隙間Ｓを介して後端部１４Ａに沿って取り付けられている。ここで、隙間Ｓ内に指先を挿入した場合、緩衝部材４４が収縮して隙間Ｓが拡大し、指先に負担が生じないようになっている。
【００４４】
従って、このような第４の実施例によっても、既述と同様の効果を得ることができる他、前記スライダ２０やストッパ２４等を省略することができるので、グランドピアノ１０全体の構成の簡略化を図ることが可能となる。
【００４５】
［第５実施例］
図１３には、本発明の第５の実施例が示されている。この実施例は、前屋根板１４の後端部１４Ａ側領域を変位可能とすることにより拡大手段４６を構成したものである。すなわち、拡大手段４６は、後端部１４Ａから所定間隔を隔てた位置で前屋根板１４を二分割形状とし、この分割位置にヒンジ４７を設けることにより構成されている。ヒンジ４７の内面側には、断面視山形状をなす板ばね４８が取り付けられている。この板ばね４８は、常時は、前屋根板１４の上面がフラットとなるようにヒンジ４７を付勢する一方、隙間Ｓ内に指先が挿入されたときに、図１３中矢印Ｒ方向の回転を許容し、隙間Ｓを拡大する方向に前屋根板１４を変形可能に設けられている。
【００４６】
従って、このような第５の実施例によっても、前述した第４の実施例と同様の効果を得ることができる。
【００４７】
なお、本発明における屋根板の枚数は、後屋根板１３及び前屋根板１４の二枚に限定されるものでなく、屋根板を三枚にする等必要に応じて増加させてもよい。要するに、本発明は、相互に突き合う端部を有する第１及び第２の屋根板の各端部間隙間を拡大可能に設けられていれば足りる。
【００４８】
また、前記各実施例において、前屋根板１４を移動又は変位させたり、前屋根板１４の後端部１４Ａ側を変形させたりしたが、例えば、後屋根板１３を支持するヒンジ１２を前屋根板１４に対して離間するようにスライド可能としたり、後屋根板１３の少なくとも前端部１３Ａ側を変形又は変位させるようにし、各端部１３Ａ，１４Ａ間の隙間Ｓや離間幅を拡大して指挟み防止を図る構成としてもよい。
【００４９】
更に、前記各拡大手段２０，４０，４６は、二つの屋根板１３，１４の間でなく、単一の屋根板と本体との間、例えば、開閉する屋根板が閉じたときに、当該屋根板の端部が本体に設けられた前板の垂直面に突き合うような構造のアップライトピアノ、チェンバロ等に適用してもよい。また、前記各拡大手段２０，４０，４６が適用される楽器は、屋根板を有する楽器や鍵盤楽器に限定されるものでなく、屋根板がない楽器であってもよい。この楽器としては、例えば、楽器本体に対して一端部が開閉可能に回動する部材を有し、この部材が閉じたときに、前記部材の一端部と楽器本体に設けられた部材とが突き合う楽器を例示でき、当該楽器における前記一端部及びこれに突き合う部材の間の離間幅若しくは隙間を拡大できるように前記拡大手段２０，４０，４６を設けてもよい。
【００５０】
また、前記第１の実施例における突起部１４Ｂ及び孔１３Ｂは、種々の設計変更が可能であり、例えば、前端部１３Ａより突起部を突出させ、その下面に傾斜面を形成するとともに、後端部１４Ａに突起部を受容可能な孔を設けてもよく、これによっても、第１の実施例で説明した突起部１４Ｂ及び孔１３Ｂと同様の作用、効果を得ることができる。また、第１の実施例において、突起部１４Ｂ及び孔１３Ｂを省略した構成としてもよいが、これら突起部１４Ｂ及び孔１３Ｂを設けることにより、長寸突上棒１７Ａを倒伏した後、意図することなく前屋根板１４が後方に移動しても、後屋根板１３の閉塞動作に伴って隙間Ｓを拡大できる点で有利となる。
【００５１】
更に、前記各実施例において、本発明の屋根構造をグランドピアノに適用した場合を説明したが、これに限られるものでなく、例えば、本出願人によって既に出願された発明（特開平８−１０１６８７号、特開平５−３１３６５６号）に開示されるような、キーの押鍵速度やハンマーの打撃力等を検出し、その検出結果に応じて楽音を発生させる鍵盤楽器等に適用してもよい。
【００５２】
ここで、前記鍵盤楽器の具体例としては、図１４に示されるタイプの鍵盤楽器４９が例示できる。この鍵盤楽器４９は、前記各実施例に示されるグランドピアノと略同様の構成を有するとともに、鍵盤１１Ａの下側にコントロールユニット４９Ａを備えている。コントロールユニット４９Ａは、電子音源の他、後述するバス５０、ＣＰＵ５１、ＲＯＭ５２、ハンマセンサインターフェイス５６、パネルスイッチ５７、パネルインターフェイス５８、音源回路５９、タイマ６１及びＲＡＭ６２を備えている。
【００５３】
前記鍵盤楽器４９の電気的構成を図１５を参照して説明すると、同図において、符号５１はＣＰＵであり、ＲＯＭ５２に記憶された制御プログラムに基づいて、バス５０を介して接続された各部を制御するようになっている。また、ＲＯＭ５２は、第１の光センサ（図示省略）により求めた押鍵速度を打弦の大きさ（ベロシティ）に変換する２種類のテーブルα、βおよび第２の光センサ（図示省略）より求めた打弦速度をベロシティに変換するテーブルを備え、これらにより各光センサの出力からベロシティが求められる。
【００５４】
ここで、前記第１の光センサに対応するテーブルαは、押鍵速度を通常のベロシティに変換するものであって、ノーマルの押鍵状態に対応するものであり、テーブルβは、押鍵速度に比して小さいベロシティに変換するものであり、上述した深い押鍵を、あるいは低速な離鍵直後に行なわれる高速な離即打弦による押鍵を、それぞれ模倣するために用いられる。
【００５５】
図１５中、符号５３はキーセンサ群であり、１つの鍵について設けられた前記第１の光センサを鍵盤の８８鍵について統括したものである。すなわち、キーセンサ群５３は、８８個もの第１の光センサから構成される。そして、キーセンサ群５３の出力情報は、キーセンサインターフェイス５４およびバス５０を介してＣＰＵ５１に供給されるようになっている。
【００５６】
同様に、図１５中、符号５５はハンマセンサ群であり、１つの鍵のハンマアクション部について設けられた前記第２の光センサを鍵盤の８８鍵について統括したものである。すなわち、ハンマセンサ群５５は、８８個もの第２の光センサから構成される。そして、ハンマセンサ群８８の出力情報は、ハンマセンサインターフェイス５６およびバス５０を介してＣＰＵ５１に供給されるようになっている。
【００５７】
図１５中、符号５７はパネルスイッチであり、演奏者によって設定される種々のスイッチやディスプレイ等により構成され、このグランドピアノの操作パネル上に設けられる。そして、パネルスイッチ５７による設定情報もパネルインターフェイス５８およびバス５０を介してＣＰＵ５１に供給されるようになっている。このパネルスイッチ５７では、例えば、通常演奏か、消音演奏かの選択が行なわれるようになっており、この選択によって、図示しないハンマアクション部等を制御可能となっている。
【００５８】
図１５中、符号５９は音源回路であり、ＣＰＵ５１から供給された演奏情報に基づいて楽音信号を合成し出力する。本実施例において、楽音発生は、楽音の音高を示すキーコード、および楽音の大きさを示すベロシティを供給するノートオン（発音指令）により開始し、当該キーの「Ｋ２オフ状態」となったときに出力されるノートオフ（消音指令）により終了するようになっている。
【００５９】
そして、音源回路５９による楽音信号は、演奏者に装着されたヘッドホン６０を介して発音される。符号６１はタイマであり、所定時間毎に割込信号をＣＰＵ５１に供給する。ＣＰＵ５１は、この割込信号により割込処理を実行して、後述するように、各種レジスタの内容をインクリメントあるいはデクリメントする。
【００６０】
図１５中、符号６２はＲＡＭであり、各種のレジスタが作成され、ＣＰＵ５１により適宜アクセスされる。
【００６１】
【発明の効果】
以上説明したように、本発明よれば、第１及び第２の屋根板の各端部の隙間若しくは離間幅を拡大可能としたので、各端部間に指先を挿入するためのスペースを十分に確保することができる。これにより、第１の屋根板の開閉時に、各屋根板間に指先を挟むような恐怖感を効果的に抑制することができる。また、第１の屋根板の前記端部を持ちながら初期開放動作及び終期閉塞動作を行うことができるので、従来の屋根板のように持ち直す作業が不要となり、前記開閉作業を容易且つスムースに行えるようになる。
【図面の簡単な説明】
【図１】第１の実施例に係るグランドピアノの概略斜視図。
【図２】グランドピアノの一部拡大横断面図。
【図３】図２のＡ−Ａ線に沿う断面図。
【図４】図６のＢ−Ｂ線に沿う断面図。
【図５】後屋根板の後端部と前屋根板の前端部との隙間を拡大した状態を示す図２と同様の断面図。
【図６】後屋根板を開放姿勢とした状態を示す図２と同様の断面図。
【図７】第２の実施例に係るグランドピアノの図２と同様の断面図。
【図８】第２の実施例に係る板状部材及びその周辺の概略平面図。
【図９】図７のＣ−Ｃ線に沿う断面図。
【図１０】後屋根板を開放姿勢とした状態を示す図９と同様の断面図。
【図１１】第３の実施例に係るグランドピアノの図２と同様の断面図。
【図１２】第４の実施例に係るグランドピアノの図２と同様の断面図。
【図１３】第５の実施例に係るグランドピアノの図２と同様の断面図。
【図１４】変形例に係る鍵盤楽器の概略斜視図。
【図１５】図１４の鍵盤楽器の電気的構成を示すブロック図。
【符号の説明】
１０・・・グランドピアノ、１１・・・本体、１３・・・後屋根板（第１の屋根板）、１３Ａ・・・前端部、１４・・・前屋根板（第２の屋根板）、１４Ａ・・・後端部、１７・・・突上棒、２０・・・スライダ（拡大手段）、４４・・・緩衝部材（拡大手段）
【図１】
2004029767.tif 000003
【図２】
2004029767.tif 000004
【図３】
2004029767.tif 000005
【図４】
2004029767.tif 000006
【図５】
2004029767.tif 000007
【図６】
2004029767.tif 000008
【図７】
2004029767.tif 000009
【図８】
2004029767.tif 000010
【図９】
2004029767.tif 000011
【図１０】
2004029767.tif 000012
【図１１】
2004029767.tif 000013
【図１２】
2004029767.tif 000014
【図１３】
2004029767.tif 000015
【図１４】
2004029767.tif 000016
【図１５】
2004029767.tif 000017